(57)【特許請求の範囲】
【請求項１】
アナログもしくはデジタル信号での放送を受信する放送受信手段と、エコーキャンセラ手段と、エコーキャンセラ手段における残差エコー量が所定のしきい値を越えたか否か判定し、前記残差エコー量が前記所定のしきい値を超えた場合、格納手段に放送番組の内容を録音、録画する機能を有する判定手段とを備えたことを特徴とする放送受信装置。
【請求項２】
スピーカの音量を可変するアンプをさらに備え、
エコーキャンセラ手段は、ダブルトークを検出したときスピーカの音量を上げるためにアンプの増幅率を変える機能を有することを特徴とする請求項１記載の放送受信装置。
【請求項３】
格納手段に放送番組の内容を録音、録画するか否かを選択するスイッチ手段をさらに備えたことを特徴とする請求項１記載の放送受信装置。
【請求項４】
ダブルトーク検出時にアンプの増幅率を変えるか否か選択するスイッチ手段をさらに備えたことを特徴とする請求項２記載の放送受信装置。
【請求項５】
インターフォンをさらに備え、
前記判定手段は、インターフォンが押されたことを認識して前記格納手段に放送番組の内容を録音、録画する機能を有することを特徴とする請求項１記載の放送受信装置。
【請求項６】
放送番組の内容の録音、録画が開始された時刻を計時する時計手段と、その旨表示する表示手段とをさらに備えたことを特徴とする請求項１記載の放送受信装置。
【発明の詳細な説明】
【０００１】
【発明の属する技術分野】
本発明は、ハンズフリー電話としての機能を有する電話機能付き放送受信装置に関する。
【０００２】
【従来の技術】
テレビ等の放送番組を録画する技術の応用として、実公平７−０３４５０３号公報に示すように、タイマーを用いるもの、特開平１１−２５０５２５号公報、特開２０００−１７５１４１号公報に示すように、予め設定しておいた使用者の好みにより自動的に録画するもの、特開２０００−３５０１４２号公報に示すように、回線やネットワーク経由で、録画機能を制御できるもの等がある。
【０００３】
【発明が解決しようとする課題】
しかし、使用者の行動を考慮して自動的に番組の録画を行う手法は現在存在しない。例えば、使用者がテレビ番組を視聴している最中に来客があった場合や、少しの間テレビを視聴できる位置を外す場合、いちいち録画モードに設定しなければならない。
【０００４】
そこで、本発明は、ハンズフリー電話としての機能を実現するためのエコーキャンセラ機能を用いて、使用者の行動、環境を考慮して自動的に番組の録音、録画を行い、また音量調節を行うことが可能な放送受信装置を提供することを目的とするものである。
【０００５】
【課題を解決するための手段】
上記目的を達成するために、請求項１記載の発明は、アナログもしくはデジタル信号での放送を受信する放送受信手段と、エコーキャンセラ手段と、エコーキャンセラ手段における残差エコー量が一定レベルになったことを判定して格納手段に放送番組の内容を録音、録画する機能を有する判定手段とを備えた放送受信装置を最も主要な特徴とする。
【０００６】
請求項２記載の発明は、スピーカの音量を可変するアンプを備え、エコーキャンセラ手段は、ダブルトークを検出したときスピーカの音量を上げるためにアンプの増幅率を変える機能を有する請求項１記載の放送受信装置を主要な特徴とする。
【０００７】
請求項３記載の発明は、格納手段に放送番組の内容を録音、録画するか否かを選択するスイッチ手段を備えた請求項１記載の放送受信装置を主要な特徴とする。
【０００８】
請求項４記載の発明は、ダブルトーク検出時にアンプの増幅率を変えるか否か選択するスイッチ手段を備えた請求項２記載の放送受信装置を主要な特徴とする。
【０００９】
請求項５記載の発明は、インターフォンを備え、判定手段は、インターフォンが押されたことを認識して格納手段に放送番組の内容を録音、録画する機能を有する請求項１記載の放送受信装置を主要な特徴とする。
【００１０】
請求項６記載の発明は、放送番組の内容の録音、録画が開始された時刻を計時する時計手段と、その旨表示する表示手段を備えた請求項１記載の放送受信装置を主要な特徴とする。
【００１１】
【発明の実施の形態】
本発明は、ハンズフリー電話としての機能を実現するために装備されているエコーキャンセラ部を使用者の行動検出器として使用するものである。エコーキャンセラ部の適応フィルタは、図１に示すように、伝達関数Ｈ（ｚ）が一定であれば、エコーを消去することができる。しかし、伝達関数Ｈ（ｚ）が変わると適応フィルタが追従するまで、残差エコーが発生する。伝達関数Ｈ（ｚ）が変わる要因として、空間内で物体（本発明では使用者と考えてよい）が動いた場合が考えられる。
【００１２】
そこで本発明は、この特徴を生かして、放送受信中にエコーキャンセル機能を働かせておき、残差エコー量が一定レベル以上になった場合、使用者（放送番組視聴者）がその間、テレビを視聴できる位置を外したと認識し、自動的に放送内容を、録音、録画する機能を有する放送受信装置を提供するものである。
【００１３】
また本発明は、ハンズフリー電話としての機能を有する電話機能付き放送受信装置において、エコーキャンセラの状態がダブルトークになった場合、使用者の環境が騒音下にあると認識し、自動的に音量を調節（大きく）するものである。
【００１４】
エコーキャンセラは図２に示すように、エコー以外の音（本発明では周辺の騒音と考えてよい）がマイクより入力された場合、適応フィルタの係数更新を行わない「ダブルトーク」状態になる。従って、本発明は、ダブルトークを検出した場合、使用者（放送番組視聴者）に放送内容の音声を聞き易くするために、音量を大きくする機能を有する放送受信装置を提供するものである。その他、本発明の内容は、以下の実施形態において説明する。
【００１５】
次に本発明の実施形態を図面に基づいて説明する。図３は本発明の第１の実施形態に係る放送受信装置のブロック図である。本放送受信装置は、放送番組を使用者に視覚情報として表示する表示部１、アナログもしくはデジタル信号での放送を受信する放送受信部２、スピーカからのエコーを収集するためのマイク３、エコーキャンセラを実現するエコーキャンセラ部４、放送番組内の音響（音声）を使用者に聴覚情報として伝えるためのスピーカ５、エコーキャンセラ部４の状態を監視し、残差エコーが急激に変化したことを検出し、録画を開始するか判定を行う判定部６、録音、録画対象のデータを保存するための格納部７を備える。なお、格納部７としてハードディスクを用いると、カセットテープで発生していた記録媒体の入れ忘れを防止することができ、好都合である。
【００１６】
次にその動作を説明する。アンテナより受信された放送内容は放送受信部２で変調される。変調された放送内容は画像情報と音響（音声）情報に分けられ、画像情報は表示部１で表示される。音響（音声）情報は一度エコーキャンセラ部４に入力され、適応フィルタ係数の算出用リファレンスに用いられた後、スピーカ５により出力される。スピーカ５からのエコーはマイク３により収集され、エコーキャンセラ部４に送られ、エコーキャンセル処理が行われる。ここで、残差エコーが急激に変化した場合、エコーキャンセラ部４の状態（残差エコーのパワー値）を判定部６に転送し、エコーのパワーが一定しきい値を越えた場合、前述したように使用者が動いたと判断して、録音、録画を開始し、格納部７に放送内容を保存する。
【００１７】
図４は本発明の第２の実施形態に係る放送受信装置のブロック図である。本放送受信装置は、放送番組を使用者に視覚情報として表示する表示部１、アナログもしくはデジタル信号での放送を受信する放送受信部２、スピーカからのエコーを収集するためのマイク３、エコーキャンセラを実現するエコーキャンセラ部４、放送番組内の音響（音声）を使用者に聴覚情報として伝えるためのスピーカ５、エコーキャンセラ部４の状態を監視し、ダブルトーク状態であれば、スピーカの出力レベル（音量）を大きくするアンプ８を備える。
【００１８】
次にその動作を説明する。アンテナより受信された放送内容は放送受信部２で変調される。変調された放送内容は画像情報と音響（音声）情報に分けられ、画像情報は表示部１で表示される。音響（音声）情報は一度エコーキャンセラ部４に入力され、適応フィルタ係数の算出用リファレンスに用いられた後、スピーカ５により出力される。スピーカ５からのエコーおよび、周辺音はマイク３により収集され、エコーキャンセラ部４に送られる。ここで、ダブルトークが検出された場合、利用者が騒音下にいると判断して、アンプ８の増幅率を変えて、自動的に音量を大きくする。
【００１９】
図５は本発明の第３の実施形態に係る放送受信装置のブロック図である。本放送受信装置は、放送番組を使用者に視覚情報として表示する表示部１、アナログもしくはデジタル信号での放送を受信する放送受信部２、スピーカからのエコーを収集するためのマイク３、エコーキャンセラを実現するエコーキャンセラ部４、放送番組内の音響（音声）を使用者に聴覚情報として伝えるためのスピーカ５、エコーキャンセラ部４の状態を監視し、残差エコーが急激に変化したことを検出し、録画を開始するか判定を行う判定部６、録音、録画対象のデータを保存するための格納部７、自動録音、録画の機能を使用者がオン、オフすることができるスイッチ９を備える。
【００２０】
次にその動作を説明する。アンテナより受信された放送内容は放送受信部２で変調される。変調された放送内容は画像情報と音響（音声）情報に分けられ、画像情報は表示部１で表示される。音響（音声）情報は一度エコーキャンセラ部４に入力され、適応フィルタ係数の算出用リファレンスに用いられた後、スピーカ５により出力される。スピーカ５からのエコーはマイク３により収集され、エコーキャンセラ部４に送られ、エコーキャンセル処理が行われる。ここで、残差エコーが急激に変化した場合、エコーキャンセラ部４の状態（残差エコーのパワー値）を判定部６に転送し、エコーのパワーが一定しきい値を越えた場合、スイッチ９の状態をみて、オンされていれば録音、録画を開始し、格納部７に放送内容を保存する。一方スイッチ９の状態がオフであれば、何も行わない。
【００２１】
図６は本発明の第４の実施形態に係る放送受信装置のブロック図である。本放送受信装置は、放送番組を使用者に視覚情報として表示する表示部１、アナログもしくはデジタル信号での放送を受信する放送受信部、スピーカからのエコーを収集するためのマイク３、エコーキャンセラを実現するエコーキャンセラ部４、放送番組内の音響（音声）を使用者に聴覚情報として伝えるためのスピーカ５、エコーキャンセラ部４の状態を監視し、ダブルトーク状態であれば、スピーカの出力レベル（音量）を大きくするアンプ８、自動的に音量調節する機能を使用者がオン、オフすることができるスイッチ１０を備える。
【００２２】
次にその動作を説明する。アンテナより受信された放送内容は放送受信部２で変調される。変調された放送内容は画像情報と音響（音声）情報に分けられ、画像情報は表示部１で表示される。音響（音声）情報は一度エコーキャンセラ部４に入力され、適応フィルタ係数の算出用リファレンスに用いられた後、スピーカ５により出力される。スピーカ５からのエコーおよび、周辺音はマイク３により収集され、エコーキャンセラ部４に送られる。ここで、ダブルトークが検出された場合、スイッチ１０の状態をみて、オンされていれば利用者が騒音下にいると判断して、アンプ８の増幅率を変えて、自動的に音量を大きくする。一方スイッチ１０の状態がオフであれば、何も行わない。
【００２３】
図７は本発明の第５の実施形態に係る放送受信装置のブロック図である。本放送受信装置は、放送番組を使用者に視覚情報として表示する表示部１、アナログもしくはデジタル信号での放送を受信する放送受信部２、スピーカからのエコーを収集するためのマイク３、エコーキャンセラを実現するエコーキャンセラ部４、放送番組内の音響（音声）を使用者に聴覚情報として伝えるためのスピーカ５、エコーキャンセラ部４の状態を監視し、残差エコーが急激に変化したことを検出し、録音、録画を開始するか判定を行う判定部６、録音、録画対象のデータを保存するための格納部７、使用者の自宅に設置されているインターフォン１１を備える。
【００２４】
次にその動作を説明する。アンテナより受信された放送内容は放送受信部２で変調される。変調された放送内容は画像情報と音響（音声）情報に分けられ、画像情報は表示部１で表示される。音響（音声）情報は一度エコーキャンセラ部４に入力され、適応フィルタ係数の算出用リファレンスに用いられた後、スピーカ５により出力される。スピーカ５からのエコーはマイク３により収集され、エコーキャンセラ部４に送られ、エコーキャンセル処理が行われる。ここで、残差エコーが急激に変化した場合、エコーキャンセラ部４の状態（残差エコーのパワー値）を判定部６に転送し、エコーのパワーが一定しきい値を越えた場合、録音、録画を開始し、格納部７に放送内容を保存する。さらに、インターフォン１１が押された場合、判定部６は、使用者に来客がありそれにより使用者が席を立ったことを認識し、録音、録画を開始し、格納部７に放送内容を保存する。
【００２５】
図８は本発明の第６の実施形態に係る放送受信装置のブロック図である。本放送受信装置は、放送番組を使用者に視覚情報として表示する表示部１、アナログもしくはデジタル信号での放送を受信する放送受信部２、スピーカからのエコーを収集するためのマイク３、エコーキャンセラを実現するエコーキャンセラ部４、放送番組内の音響（音声）を使用者に聴覚情報として伝えるためのスピーカ５、エコーキャンセラ部４の状態を監視し、残差エコーが急激に変化したことを検出し、録音、録画を開始するか判定を行う判定部６、録音、録画対象のデタを保存するための格納部７、録音、録画開始時刻を示すための内部時計１２を備える。
【００２６】
次にその動作を説明する。アンテナより受信された放送内容は放送受信部２で変調される。変調された放送内容は画像情報と音響（音声）情報に分けられ、画像情報は表示部１で表示される。音響（音声）情報は一度エコーキャンセラ部４に入力され、適応フィルタ係数の算出用リファレンスに用いられた後、スピーカ５により出力される。スピーカ５からのエコーはマイク３により収集され、エコーキャンセラ部４に送られ、エコーキャンセル処理が行われる。ここで、残差エコーが急激に変化した場合、エコーキャンセラ部４の状態（残差エコーのパワー値）を判定部６に転送し、エコーのパワーが一定しきい値を越えた場合、録音、録画を開始し、格納部７に放送内容を保存する。ここで、録音、録画が開始された時刻と「自動録音、録画が開始されました」というメッセージを表示部１に送り使用者に伝える。
【００２７】
【発明の効果】
請求項１記載の発明によれば、アナログもしくはデジタル信号での放送を受信する放送受信手段と、エコーキャンセラ手段と、エコーキャンセラ手段における残差エコー量が一定レベルになったことを判定して格納手段に放送番組の内容を録音、録画する機能を有する判定手段とを備えたので、使用者の行動を考慮して自動的に番組の録音、録画を行うことができる。
【００２８】
請求項２記載の発明によれば、スピーカの音量を可変するアンプを備え、エコーキャンセラ手段は、ダブルトークを検出したときスピーカの音量を上げるためにアンプの増幅率を変える機能を有するので、使用者が騒音下にある場合、自動的にスピーカの音量が上がるため、容易に放送番組の内容を聴き取ることができる。
【００２９】
請求項３記載の発明によれば、格納手段に放送番組の内容を録音、録画するか否かを選択するスイッチ手段を備えたので、使用者（放送番組視聴者）が作業をしながら番組を視聴している場合、不本意に録音、録画モードになることを防止することができる。
【００３０】
請求項４記載の発明によれば、ダブルトーク検出時にアンプの増幅率を変えるか否か選択するスイッチ手段を備えたので、使用者（放送番組視聴者）が音を出す作業をしながら番組を視聴している場合、不本意にスピーカの音量が大きくなるのを防止することができる。
【００３１】
請求項５記載の発明によれば、インターフォンを備え、判定手段は、インターフォンが押されたことを認識して格納手段に放送番組の内容を録音、録画する機能を有するので、インターフォンからの情報を取り入れることにより、正確に使用者の行動を予測でき、早い段階から録音、録画を行うことができる。
【００３２】
請求項６記載の発明によれば、放送番組の内容の録音、録画が開始された時刻を計時する時計手段と、その旨表示する表示手段を備えたので、使用者は、表示されているメッセージ内容により、視聴できる位置を外した間に自動録音、録画が行われていて、その内容をみることが可能であることを知ることができる。
【図面の簡単な説明】
【図１】エコーキャンセラの残差エコーの説明図である。
【図２】ダブルトークの説明図である。
【図３】本発明の第１の実施形態に係る放送受信装置のブロック図である。
【図４】本発明の第２の実施形態に係る放送受信装置のブロック図である。
【図５】本発明の第３の実施形態に係る放送受信装置のブロック図である。
【図６】本発明の第４の実施形態に係る放送受信装置のブロック図である。
【図７】本発明の第５の実施形態に係る放送受信装置のブロック図である。
【図８】本発明の第６の実施形態に係る放送受信装置のブロック図である。
【符号の説明】
１  表示部
２  放送受信部（放送受信手段）
３  マイク
４  エコーキャンセラ部（エコーキャンセラ手段）
５  スピーカ
６  判定部（判定手段）
７  格納部（格納手段）
【図１】
0004530587.tif 000002
【図２】
0004530587.tif 000003
【図３】
0004530587.tif 000004
【図４】
0004530587.tif 000005
【図５】
0004530587.tif 000006
【図６】
0004530587.tif 000007
【図７】
0004530587.tif 000008
【図８】
0004530587.tif 000009